(57)【要約】【課題】大型化することなく、放熱効率の高い光ピックアップ装置および光学式情報記録再生装置を提供する。【解決手段】光学式情報記録媒体にレーザ光１１を照射する光ピックアップ装置８であって、レーザ光１１を出射するレーザ素子を内蔵している光学パッケージ１３と、光学パッケージ１３を内包し、レーザ光１１の光軸を調整する光軸調整台１９と、光軸調整台１９を支持している光学基台１５と、光学基台１５において光学式情報記録媒体が設置される側に、光学パッケージ１３、光軸調整台１９および光学基台１５を覆うように設置されている蓋部１７とを備え、蓋部１７には、１つまたは複数の空気孔２２が形成されている。【選択図】  図３
2006209908.tif 000002
【特許請求の範囲】
【請求項１】
光学式情報記録媒体にレーザ光を照射する光ピックアップ装置であって、
レーザ光を出射するレーザ素子を内蔵している光学パッケージと、
前記光学パッケージを内包し、前記レーザ光の光軸を調整する光軸調整台と、
前記光軸調整台を支持している光学基台と、
前記光学基台において前記光学式情報記録媒体が設置される側に、前記光学パッケージ、前記光軸調整台および前記光学基台を覆うように設置されている蓋部とを備え、
前記蓋部には、１つまたは複数の空気孔が形成されていることを特徴とする光ピックアップ装置。
【請求項２】
前記空気孔のうち少なくとも１つは、前記蓋部において、前記光学パッケージの上方に形成されている請求項１に記載の光ピックアップ装置。
【請求項３】
前記空気孔のうち少なくとも１つは、前記蓋部を投影面として、前記蓋部の法線方向に前記光学パッケージを投影した場合に、前記光学パッケージが投影される個所に形成される請求項１に記載の光ピックアップ装置。
【請求項４】
前記光学パッケージには、一対の通気孔が形成されている請求項２または請求項３に記載の光ピックアップ装置。
【請求項５】
前記光学パッケージの前記蓋部側の面を投影面として、前記蓋部の法線方向に前記空気孔を投影した場合に、前記空気孔が投影される領域を含む個所、および前記光学パッケージの前記蓋部側の面に対向する面を投影面として、前記蓋部の法線方向に前記空気孔を投影した場合に、前記空気孔が投影される領域を含む個所に、前記一対の通気孔がそれぞれ形成されている請求項４に記載の光ピックアップ装置。
【請求項６】
前記光学基台は貫通孔を有し、
前記貫通孔は、前記空気孔のいずれかと連結され連続貫通孔を形成している請求項１に記載の光ピックアップ装置。
【請求項７】
前記光学調整台は貫通孔を有し、
前記貫通孔と前記空気孔のいずれかとの間には、通気経路が形成されている請求項１に記載の光ピックアップ装置。
【請求項８】
前記空気孔は、多孔質膜で覆われている請求項１ないし請求項７のいずれかに記載の光ピックアップ装置。
【請求項９】
前記空気孔のうち少なくとも１つには、管が挿入されている請求項１に記載の光ピックアップ装置。
【請求項１０】
前記光学パッケージには、前記管が挿入される管挿入孔が形成されていて、
前記光学パッケージの前記管挿入孔が形成されている面に対向する面に通気孔が形成されている請求項９に記載の光ピクアップ装置。
【請求項１１】
前記光学調整台および前記光学基台の前記少なくとも１つには管挿入孔が形成されていて、
前記管は、さらに前記管挿入孔にも挿入されている請求項９に記載の光ピックアップ装置。
【請求項１２】
前記管の一端は、前記光学式情報記録媒体近傍に位置している請求項９ないし請求項１１のいずれかに記載の光ピックアップ装置。
【請求項１３】
前記管挿入孔には、放熱グリスが充填されている請求項１０または請求項１１に記載の光ピックアップ装置。
【請求項１４】
前記管は、熱伝導性を有する請求項９ないし請求項１３のいずれかに記載の光ピックアップ装置。
【請求項１５】
前記管の両端または片端は、多孔質膜で覆われている請求項９ないし請求項１４のいずれかに記載の光ピックアップ。
【請求項１６】
前記蓋部はアルミニウムにより構成されている請求項１ないし請求項１５のいずれかに記載の光ピックアップ装置。
【請求項１７】
請求項１ないし請求項１６のいずれかに記載の光ピックアップ装置と、
前記光学式情報記録媒体を回転させる光学式情報記録媒体駆動部と、
前記光ピックアップ装置から出射されるレーザ光が、前記光学式情報記録媒体に照射されるように、前記光ピックアップ装置を駆動させる光ピックアップ装置駆動部とを備えている光学式情報記録再生装置。
【発明の詳細な説明】
【技術分野】
【０００１】
本発明は、光ピックアップ装置に関する。特に、光学式情報記録媒体に情報信号を記録もしくは再生するための光ピックアップ装置およびそれを備えた光学式情報記録再生装置に関するものである。
【背景技術】
【０００２】
光学式情報記録媒体である光ディスク等にオーディオ信号、文字信号および映像信号等の情報を記録または再生する光学式情報記録再生装置には、光ピックアップ装置が搭載されている。光ピックアップ装置から出射されるレーザ光が、光ディスク等の情報記録面に照射されることで記録マークが記入され、情報の記録が行われる。また、光ピックアップ装置から情報記録面に照射されたレーザ光の反射光を光検出器で受光することで、情報の再生が行われる。このように、光ピックアップ装置には、レーザ光を出射する半導体レーザ素子が搭載されている。
【０００３】
近年情報の高密度化が進むにしたがって記録再生の高速化が要求されている。記録再生の高速化のためには、出力の高い半導体レーザ素子を用いる必要がある。そのため、半導体レーザの発振時に発生する熱量は大きくなり、例えば、現在の光ピックアップ装置に使用されている半導体レーザ素子では、発振時の温度は８０〜９０゜Ｃ程度に達する。
【０００４】
また、近年、光学式情報記録再生装置は、薄型ノートパソコン等に用いられるため、光ピックアップ装置も含めて光学式情報記録再生装置の小型化および高密度化が進んでいる。それにより、光ピックアップ装置は、半導体レーザ素子の発熱の影響を強く受け、高温条件下で動作している。
【０００５】
さらに、半導体レーザ素子は、動作温度が高温になると出力が減少するため、その分駆動電流を増大させなければならない。そのため、高温による劣化に加え、駆動電流の増大による劣化が加わり、半導体レーザ素子の素子寿命はさらに短くなる。
【０００６】
このように、光学式情報記録再生装置において、発生する熱をいかに放熱するかは極めて重要な課題であり、従来から種々の提案がなされている。例えば、特許文献１には、樹脂またはセラミックからなる半導体レーザ素子の筐体部あるいはフレーム構造を、熱容量の大きい金属体等（放熱板）に接触させている構成の、光ピックアップ装置に搭載される対物レンズ駆動装置が開示されている。具体的には、半導体レーザ素子、受光素子、プリズムおよびレンズ等からなる光学系を収納した可動ボビンと放熱板とが一体成型された構成である。また、例えば、特許文献２にも放熱板を用いて光ピックアップ装置の放熱を促す方法が開示されている。
【特許文献１】特開平８−２８７４９９号公報
【特許文献２】特開平１１−１６２０２号公報
【発明の開示】
【発明が解決しようとする課題】
【０００７】
しかし、従来のように、放熱板を用いる方法は、別途放熱板を形成し配備するために構造が複雑になる上、製造工程における工数が増大するため高コストであるという問題がある。また、近年では、光学式情報記録再生装置の小型化により、放熱板を配置する空間的余裕がなくなってきている。
【０００８】
本発明は、上述の問題点に鑑みなされたものであって、大型化することなく、放熱効率の高い光ピックアップ装置および光学式情報記録再生装置を提供することを目的とする。
【課題を解決するための手段】
【０００９】
本発明の光ピックアップ装置は、光学式情報記録媒体にレーザ光を照射する光ピックアップ装置であって、レーザ光を出射するレーザ素子を内蔵している光学パッケージと、前記光学パッケージを内包し、前記レーザ光の光軸を調整する光軸調整台と、前記光軸調整台を支持している光学基台と、前記光学基台において前記光学式情報記録媒体が設置される側に、前記光学パッケージ、前記光軸調整台および前記光学基台を覆うように設置されている蓋部とを備え、前記蓋部には、１つまたは複数の空気孔が形成されていることを特徴とする。
【００１０】
また、本発明の光学式情報記録再生装置は、上記本発明の光ピックアップ装置と、前記光学式情報記録媒体を回転させる光学式情報記録媒体駆動部と、前記光ピックアップ装置から出射されるレーザ光が、前記光学式情報記録媒体に照射されるように、前記光ピックアップ装置を駆動させる光ピックアップ装置駆動部とを備えていることを特徴とする。
【発明の効果】
【００１１】
本発明によれば、大型化することなく、放熱効率の高い光ピックアップ装置および光学式情報記録再生装置を提供することができる。
【発明を実施するための最良の形態】
【００１２】
本発明の光ピックアップ装置は、前記光学基台において前記光学式情報記録媒体が設置される側に、前記光学パッケージ、前記光軸調整台および前記光学基台を覆うように設置されている蓋部とを備え、前記蓋部には、空気孔が形成されている。そのため、この光ピックアップ装置を光学式情報記録再生装置に搭載して動作させた場合に、光学式情報記録媒体の回転により蓋部の空気孔に生じる負圧または正圧により光ピックアップ装置内に空気の流れが生じる。つまり、空気孔に負圧が生じた場合には、光ピックアップ装置内から空気孔を通って光ピックアップ装置外へと空気が移動する。また、空気孔に正圧が生じた場合には、光ピックアップ装置外から空気孔を通って光ピックアップ装置内へと空気が移動し、別の通気経路から光ピックアップ装置外へと空気が移動する。したがって、光学パッケージに内蔵されている、熱源であるレーザ素子が発する熱を、光ピックアップ装置の内部から外部への空気の流れにより、光ピックアップ装置の外部へと移動させることができる。それにより、効率良く放熱が行われるため、放熱効率が高い光ピックアップ装置を実現することができる。また、従来の光ピックアップ装置に孔を形成するだけで実現できるので、光ピックアップ装置が大型化することなく放熱効率を高くすることができる。また、放熱効率が高いため、レーザ素子が温度暴走することもなく、劣化も少ないため、寿命も長い。また、高温であるために起こる、誤動作も生じない。
【００１３】
また、上記本発明の光ピックアップ装置において、好ましくは、前記空気孔のうち少なくとも１つは、前記蓋部において、前記光学パッケージの上方に形成されている。それにより、熱源のより近くの空気を移動することができるので、放熱効率をさらに高くすることができる。
【００１４】
また、上記本発明の光ピックアップ装置において、好ましくは、前記空気孔のうち少なくとも１つは、前記蓋部を投影面として、前記蓋部の法線方向に前記光学パッケージを投影した場合に、前記光学パッケージが投影される個所に形成される。それにより、熱源のより近くの空気を移動することができるので、放熱効率をさらに高くすることができる。
【００１５】
また、上記本発明の光ピックアップ装置において、好ましくは、前記光学パッケージには、一対の通気孔が形成されている。それにより、光学パッケージ内部の空気は、外部に移動することができる。そのため、レーザ素子が発する熱を、光学パッケージの内部から外部に移動することができるので、放熱効率をさらに高くすることができる。
【００１６】
また、上記本発明の光ピックアップ装置において、好ましくは、前記光学パッケージの前記蓋部側の面を投影面として、前記蓋部の法線方向に前記空気孔を投影した場合に、前記空気孔が投影される領域を含む個所、および前記光学パッケージの前記蓋部側の面に対向する面を投影面として、前記蓋部の法線方向に前記空気孔を投影した場合に、前記空気孔が投影される領域を含む個所に、それぞれ通気孔が形成されている。それにより、光学パッケージ内部の空気の流量が多くなるため、放熱効率をさらに高くすることができる。
【００１７】
また、上記本発明の光ピックアップ装置において、好ましくは、前記光学基台は貫通孔を有し、前記貫通孔は、前記空気孔のいずれかと連結され連続貫通孔を形成している。それにより、光ピックアップ装置の内部の表面および裏面にかけて空気が流れ得るので、光学基台の放熱効率が高い。また、この光ピックアップ装置を光学式情報記録再生装置に搭載して動作させた場合に、光学式情報記録媒体の回転により貫通孔および空気孔に沿って空気が流れる。それにより、光ピックアップ装置の放熱効率はさらに高くなる。
【００１８】
また、上記本発明の光ピックアップ装置において、好ましくは、前記光学調整台は貫通孔を有し、前記貫通孔と前記空気孔のいずれかとの間には、通気経路が配置されている。それにより、光ピックアップ装置の内部の表面および裏面にかけて空気が流れ得るので、光学調整台の放熱効率が高い。また、この光ピックアップ装置を光学式情報記録再生装置に搭載して動作させた場合に、光学式情報記録媒体の回転により光ピックアップ装置の内部を貫通孔、通気経路および空気孔に沿って空気が流れる。それにより、光ピックアップ装置の放熱効率はさらに高くなる。
【００１９】
また、上記本発明の光ピックアップ装置において、好ましくは、前記空気孔は、多孔質膜で覆われている。それにより、空気孔は空気を通し、かつ光ピックアップ装置内部に埃が入ることがない。
【００２０】
また、上記本発明の光ピックアップ装置において、好ましくは、前記空気孔のうち前記少なくとも１つには、管が挿入されている。それにより、この光ピックアップ装置を光学式情報記録再生装置に搭載して動作させた場合に、光学式情報記録媒体の回転により管の一端に生じる負圧または正圧により管内に空気の流れが生じる。空気は管内を効率的に流れるため、光学パッケージ内の熱が管を伝ってより効率的に放熱される。また、所望の箇所に管を配置することで、放熱効率をさらに高くすることができる。
【００２１】
また、上記本発明の光ピックアップ装置において、好ましくは、前記光学パッケージには、前記管が挿入される管挿入孔が形成されていて、前記光学パッケージの前記管挿入孔が形成されている面に対向する面に通気孔が形成されている。それにより、管の先端が、熱源であるレーザ素子の近傍に位置することができる。したがって、放熱効率をさらに高くすることができる。また、管の先端が、通気孔より外に突出することもできる。これにより、外部の空気が管内に流れることで、光学パッケージ内の熱が管を伝って外部に放出する。
【００２２】
また、上記本発明の光ピックアップ装置において、好ましくは、前記光学調整台および前記光学基台の前記少なくとも１つには管挿入孔が形成されていて、前記管は、さらに前記管挿入孔にも挿入されている。それにより、管に熱が伝えられて外部に放出される。また、管の内部には空気が流れるので、熱が外部に移動する。したがって、この光ピックアップ装置は放熱効率が高い。
【００２３】
また、上記本発明の光ピックアップ装置において、好ましくは、前記管の一端は、前記光学式情報記録媒体近傍に位置している。それにより、この光ピックアップ装置を光学式情報記録再生装置に搭載して動作させた場合に、生じる管を通る空気の流れが強くなり、その空気量が増加する。このため、放熱効率をさらに高くすることができる。
【００２４】
また、上記本発明の光ピックアップ装置において、好ましくは、前記管挿入孔には、放熱グリスが充填されている。それにより、管挿入孔の内面と管とが接触していなくても、放熱グリスによりそれらの間で熱が伝わりやすい。そのため、管を介して放熱される量も増大する。したがって、放熱効率をさらに高くすることができる。また、放熱グリスは容易に変形するため、管挿入孔と管との相対位置を変更可能にすることができ、レーザ光の光軸調整を制約しない。
【００２５】
また、上記本発明の光ピックアップ装置において、好ましくは、前記管は、熱伝導性を有する。それにより、管自体を介して放熱される量が増加するため、放熱効率をさらに高くすることができる。
【００２６】
また、上記本発明の光ピックアップ装置において、好ましくは、前記管の両端または片端は、多孔質膜で覆われている。それにより、管は空気を通し、かつ光ピックアップ装置内部に埃が入ることがない。
【００２７】
また、上記本発明の光ピックアップ装置において、好ましくは、前記蓋部はアルミニウムにより構成されている。それにより、蓋部の熱伝導性が大きくなるため、蓋部から放熱される量が増加する。そのため、放熱効率をさらに高くすることができる。
【００２８】
また、本発明の光学式情報記録再生装置は、上記本発明の光ピックアップ装置を備えている。それにより、放熱効率が高いうえ、大型化することもない、光学式情報記録再生装置を実現することができる。また、本発明の光学式情報記録再生装置は誤動作も生じず、寿命も長い。
【００２９】
以下、本発明の具体的な実施形態について図面を用いて説明する。
【００３０】
（実施の形態１）
本発明の実施の形態１に係る光学式情報記録再生装置および光ピックアップ装置について図を用いて説明する。図１は本発明の実施の形態１に係る光学式情報記録再生装置の構成を示す斜視図である。また、図２は本発明の実施の形態１に係る光学式情報記録再生装置における、光ピックアップ装置と光ディスクとの配置を示す斜視図である。図２は、図１に示した光学式情報記録再生装置（以下、単に記録再生装置という）１のうち、光ピックアップ装置８と光ディスク（光学式情報記録媒体）２を有するカートリッジ４とを図示したものであり、これらを、図１よりも拡大して示している。
【００３１】
図１において、光学式ディスクドライブである記録再生装置１は、トラバースベース６と、トラバースベース６上に設置された駆動台１０と、駆動台１０上に設置された光ピックアップ装置８と、スピンドルモータ（光学式情報記録媒体駆動部）７と、駆動台１０を移動させるためのシャフト９と、シャフト９をその軸を中心として回転させるモータ（図示せず）を備えた支持台３と、スピンドルモータ７に連結されていて、スピンドルモータ７によって軸を中心として回転させられるモータシャフト５とを備えている。
【００３２】
また、記録再生装置１には、カートリッジ４が設置されている。カートリッジ４には、光学式情報記録媒体である光ディスク２が内蔵されている。図示されていないが、光ディスク２の中心部にモータシャフト５の端部が連結されて、カートリッジ４は記録再生装置１に設置される。これにより、光ディスク２は、モータシャフト５を介してスピンドルモータ７により回転させられる。さらに、図２にも示されているように光ディスク２はカートリッジ４により保護されているが、カートリッジ４には開口部４ａが形成されていて、開口部４ａでは光ディスク２が外部に露呈されている。
【００３３】
図２に示されているように、実施の形態１の光ピックアップ装置８は、光ディスク２が設置される側に対物レンズ１２と、出射するレーザ光の焦点を合わせるために対物レンズ１２をトラッキング方向またはフォーカス方向に移動させ得るアクチュエータ１６とを備えている。光ピックアップ装置８は、光ディスク２の外部に露呈されている個所に向けて対物レンズ１２からレーザ光１１を出射する。それにより、光ディスク２への情報の記録および光ディスク２の情報の再生を行う。また、光ピックアップ装置８には空気孔２２が形成されている。光ピックアップ装置８の構成のさらに詳しい説明は後述する。
【００３４】
駆動台１０には、２本のシャフト９が貫通している。１つのシャフト９は、支持台３のモータ（図示せず）により、その軸方向を中心として回転させられる。このシャフト９が回転することで、駆動台１０が光ディスク２の半径方向に移動する。このような機構は、シャフト９と駆動台１０との間に例えばギア等を備えることで実現できる。もう１つのシャフト９は、駆動台１０の移動方向を規定するためのもので、駆動台１０はこのシャフトに沿って移動し得る。駆動台１０上には光ピックアップ装置８が設置されていて、駆動台１０と一体となって移動する。これにより、光ピックアップ装置８は光ディスク２に対して、その外周側および内周側に移動可能である。したがって、レーザ光１１を出射する対物レンズ１２も、光ディスク２の外周側および内周側に移動可能である。このような機構（光ピックアップ装置駆動部）により、光ピックアップ装置８を駆動させることができる。なお、光ピックアップ装置８を光ディスク２に対して移動させる機構は、上述の機構に限定されるわけではない。
【００３５】
開口部４ａから、光ディスク２の表面である情報記録面の一部が露呈されている。開口部４ａにより、光ディスク２を回転させれば、順次、情報記録面の全てが外部に露呈されることになる。また、駆動台１０により、光ピックアップ装置８は光ディスク２の外周側および内周側に移動が可能である。したがって、光ディスク２の情報記録面における所定の個所にレーザ光１１を照射することが可能である。
【００３６】
記録再生装置１は、光ディスク２の回転をスピンドルモータ７で調整し、光ディスク２の外周側および内周側に対する光ピックアップ装置８の位置をシャフト９によって調整し、対物レンズ１２から出射されるレーザ光１１が、光ディスク２の情報記録面における所望の位置に照射されるようにする。レーザ光１１が、光ディスク２の情報記録面に照射されることで光ディスク２には記録マークが記入され、情報の記録が行われる。また、レーザ光１１が情報記録面に照射され、反射した光を検出することにより情報の再生が行われる。
【００３７】
次に、図３および図２を用いてさらに詳しく実施の形態１に係る光ピックアップ装置８について説明する。図３は本発明の実施の形態１に係る光ピックアップ装置の構成を示す分解斜視図である。図３に示すように、光ピックアップ装置８は、光学基台１５と、光学基台１５に支持された光軸調整台１９と、光軸調整台１９の内部に設置されている光学パッケージ１３と、光学パッケージ１３に内包された半導体レーザ素子（図示せず）と、半導体レーザ素子から出射されるレーザ光１１を反射する反射鏡１４と、電線等のフレキ押さえおよび輻射防止用のカバー（蓋部）１７と、光ディスク２（図２参照）の情報記録面にレーザ光１１の焦点を合わせるための対物レンズ１２と、レーザ光１１の焦点を情報記録面に合わせるため対物レンズ１２を光ディスク２に対してフォーカス方向またはトラッキング方向に駆動させるアクチュエータ１６とを備えている。
【００３８】
光学基台１５に支持されている光軸調整台１９は、アオリホルダー１９ａとスライドホルダー１９ｂとを有している。光ピックアップ装置８を組み立てるときに光軸調整台１９を用いて、光軸調整台１９の内部に設置されている半導体レーザ素子の光軸を調整する。光軸の方向（レーザ光１１の方向）が所望の方向となるように、光軸調整台１９により調整された後、光軸調整台１９は固定される。光学パッケージ１３および光軸調整台１９には、レーザ光１１が出射される孔（図示せず）が形成されていて、半導体レーザ素子から出射されるレーザ光１１は、その孔を通って反射鏡１４で反射されて、カバー１７に形成された孔１８を通って、対物レンズ１２に入射する。アクチュエータ１６は、レーザ光１１の焦点が光ディスク２の情報記録面の所望の位置に合うように、対物レンズ１２をフォーカス方向あるいはトラッキング方向に駆動させる。
【００３９】
光軸調整台１９において、光学パッケージ１３が接している個所の裏面には光学基台１５と連結されている放熱板２１が設置されている。放熱板２１は、半導体レーザ素子に生じる熱を光学基台１５へと放熱している。なお、放熱板２１は、光学パッケージ１３または光軸調整台１９と、光学基台１５とを連結するように設置されていればよく、光学パッケージ１３または光軸調整台１９の熱を光学基台１５へと伝えている。
【００４０】
カバー１７は、光学基台１５上に設置されている。上述したように、カバー１７は、半導体素子等に接続された電線等のフレキ（図示せず）が、光ディスク２に接触せぬようにそれらを押さえるためや輻射防止用としての働きがある。そのため、カバー１７は、光学基台１５の光ディスク２が設置される側に設置されている。なお、カバー１７は、光学基台１５と嵌合するような形状でもよいし、板状であってもよい。また、カバー１７には、空気孔２２が貫通して形成されている。この空気孔２２は、光学パッケージ１３の上方付近に位置することが好ましい。より具体的には、カバー１７を投影面として、光学パッケージ１３を投影した場合に、光学パッケージ１３が投影される個所に形成されることが好ましい。この空気孔２２は、光ピックアップ装置８の外部から内部へ、または内部から外部へ空気を移動するためのものである。そのため、例えば上述した、熱源により近い個所に空気孔２２を形成したほうが、放熱効率が高くなる。なお、熱源は、光学パッケージ１３が内蔵している半導体レーザ素子である。
【００４１】
図４は本発明の実施の形態１に係る光ピックアップ装置の構成を示す斜視図である。図４に示した光ピックアップ装置８は、図３に分解斜視図で示した光ピックアップ装置８を組み立てた状態である。
【００４２】
図４に示すように、カバー１７は光学基台１５上に、光学パッケージ１３、光軸調整台１９および光学基台１５を覆うように設置されている（図３参照）。このような、実施の形態１に係る光ピックアップ装置８を動作させた場合には、半導体レーザ素子が発熱する。半導体レーザ素子が熱源となるが、光学パッケージ１３内の熱は、例えば、放熱板２１を伝って、光学基台１５に伝達される。光学基台１５はカバー１７に接触しており、熱はカバー１７を介して外部に放熱される。また、カバー１７には、空気孔２２が形成されていることから対流により、光ピックアップ装置８の外部から内部へ、または内部から外部へ空気を移動することでも放熱される。
【００４３】
また、この光ピックアップ装置８が、前述の実施の形態１に係る記録再生装置１に搭載されている場合、記録再生装置１を動作させることで、光ディスク２が回転する（図１参照）。光ディスク２の回転により、光ディスク２と光ピックアップ装置８との間に空気の流れが生じる。図５は、図２に光ディスクの回転方向と空気孔における空気の流れとを追加した図であり、空気の流れを説明するための図である。
【００４４】
図５に示しているように、記録再生装置１の動作により、光ディスク２が回転方向２０に回転すると、光ディスク２と光ピックアップ装置８との間に、光ディスク２の回転に応じた空気２３の流れが生じる。そのため、空気孔２２の付近に空気が流れるため、空気孔２２の両端において圧力差が生じて、空気孔２２中を空気２３が流れる。なお、図５は、光ディスク２側で減圧（負圧）が生じている状態である。そのため、空気２３は、光ピックアップ装置８内から、光ディスク２側、すなわち光ピックアップ装置８の外部に流出している。
【００４５】
光ピックアップ装置８の内部には、熱源である半導体レーザ素子が配置されているが、空気２３が外部に流出されるので、熱も外部に放出されている。そのため、光ピックアップ装置８の内部が高温化することはない。このように、実施の形態１の光ピックアップ装置８は、空気の流出により効率良く放熱が行われるため、この光ピックアップ装置８は放熱効率が高い。
【００４６】
一方、空気孔２２の大きさ、位置によっては、空気孔２２の光ディスク２側で減圧（負圧）が生じることもある。しかし、この場合においても、空気２３は、光ピックアップ装置８外から空気孔２２を通って光ピックアップ装置８内へ移動する。光ピックアップ装置８外部の空気は内部の空気よりも温度が低いため、光ピックアップ装置８内の温度が下がる。また、空気孔２２から空気２３が入った分、その他の通気経路、例えば貫通孔等を通って光ピックアップ装置８内の空気が光ピックアップ装置８外へ移動するため、熱も外部に放出される。したがって、空気孔２２の両端に圧力差が生じる場合、それが負圧であっても正圧であっても、空気２３の流れによって放熱が行われるという効果がある。
【００４７】
また、空気孔２２の形成位置はカバー１７のどの個所でもよいが、上述したように、熱源により近い個所に空気孔２２を形成したほうが、放熱効率が高くなる。これは、熱源により近い個所に空気孔２２を形成することで、熱源により近い空気を移動させることになるためである。
【００４８】
また、光学パッケージ１３において、対向する通気孔が形成されていることが好ましい。それにより、空気２３が光ピックアップ装置８内を移動する際に、熱源である半導体素子を内包する光学パッケージ１３内を空気が通ることになる。そのため、光ピックアップ装置８は熱源から発生する熱を効率的に放熱することができ、放熱効率が高い。
【００４９】
なお、具体的には、光学パッケージ１３におけるカバー１７側の面を投影面として、カバー１７の法線方向に空気孔２２を投影した場合に、空気孔２２が投影される領域を含む個所に通気孔が形成されていることが好ましい。また、光学パッケージ１３におけるカバー１７側の面に対向する面を投影面として、カバー１７の法線方向に空気孔２２を投影した場合に、空気孔２２が投影される領域を含む個所に通気孔が形成されていることが好ましい。このようにすることで、光学パッケージ内を流れる空気の流れる量が多くなるため、放熱効率が高い。
【００５０】
また、実施の形態１の光ピックアップ装置８は、カバー１７に形成された孔２２を備えた構成であり、光ピックアップ装置８が大型化することなく簡単に作製することができる。
【００５１】
また、カバー１７は、例えば、ステンレス等により構成されるが、アルミニウムにより構成してもよい。それにより、カバー１７の熱伝導性が大きくなり、光ピックアップ装置８の放熱効率を高めることができる。
【００５２】
また、空気孔２２は、空気を通せる構成であればよく、例えば空気孔２２が多孔質膜で覆われていてもよい。それにより、空気孔２２には空気が通るが、埃等が空気孔２２から光ピックアップ装置８の中に入ることがない。
【００５３】
また、前述の実施の形態１に係る記録再生装置１は、このような光ピックアップ装置８を備えているため放熱効率が高い。
【００５４】
以上説明したように、実施の形態１に係る光ピックアップ装置および情報記録再生装置は、大型化させずとも放熱効率が高い。また、構成が簡単であるため低コストで作製することができる。
【００５５】
（実施の形態２）
本発明の実施の形態２に係る光学式情報記録再生装置および光ピックアップ装置について図を用いて説明する。図６は本発明の実施の形態２に係る光ピックアップ装置の構成を示す分解斜視図である。また、図７は本発明の実施の形態２に係る光ピックアップ装置の構成を示す斜視図である。
【００５６】
図６および図７に示した実施の形態２に係る光ピックアップ装置８ａは、図３および図４に示した実施の形態１に係る光ピックアップ装置８において、空気孔２２の代わりに２つの空気孔２２ａが蓋部１７に形成されていて、空気孔２２ａと連結される貫通孔２７が光学基台１５に形成されている構成である。それ以外は、実施の形態１の光ピックアップ装置８と略同様の構成であるので、図６および図７において、図３および図４に示した部材と同様の機能を有する部材には、同一の符号を付し説明を省略する。
【００５７】
また、実施の形態２の記録再生装置１ａは、図１に示した実施の形態１の記録再生装置１と略同一の構成で、光ピックアップ装置８の代わりに光ピックアップ装置８ａを備えている。それ以外は同一の構成であるため、実施の形態２の記録再生装置１ａについては、図１の記録再生装置１を参照すればよく、詳しい説明は省略する。
【００５８】
図６および図７を参照して、実施の形態２の光ピックアップ装置８ａについて説明する。実施の形態２の光ピックアップ装置８ａは、空気孔２２ａが蓋部１７に形成されていて、空気孔２２ａと連結される貫通孔２７が光学基台１５に形成されている構成である。貫通孔２７は、光学基台１５の表面から裏面へと貫通している。光ピックアップ装置８ａを組み立てた場合に、空気孔２２ａと貫通孔２７とは連結され、連続的な貫通孔（以下、連続貫通孔と称す）を形成する。
【００５９】
このように、光ピックアップ装置８ａはその表面（カバー１７）に形成され、光ピックアップ装置８ａの裏面すなわち光ディスクが設置される側の逆側に抜ける連続貫通孔（空気孔２２ａおよび貫通孔２７）を有している。それにより、光ピックアップ装置８ａの表面および裏面にかけて、その内部を空気が流れ得るので、光学基台１５が効率的に冷却される。このように、光ピックアップ装置８ａ内の熱が光学基台１５および光学基台１５を移動する空気により放熱されるので、光ピックアップ装置８ａの放熱効率は高い。
【００６０】
なお、空気孔２２ａは、対応する貫通孔２７が形成することができる個所であればどこに形成してもよい。なお、貫通孔２７は光学基台１５において、より高温になる個所に形成することが好ましい。それにより、放熱効率が高くなる。例えば、実施の形態２では、光学パッケージ１３からの熱を光学基台１５に伝達して放熱板２１近傍に貫通孔２７を形成している。これにより、放熱板２１から光学基台１５に伝達された熱を効率よく放熱することができる。
【００６１】
また、貫通孔２７が光学基台１５に形成される場合について上述したが、貫通孔２７が、アオリホルダー１９ａおよびスライドホルダー１９ｂから構成される光軸調整台１９に形成されていてもよい。ここで、光軸調整の妨げになるため、光軸調整台１９は、カバー１７と接触することがない。そのため、光軸調整台１９に形成された空気孔２２ａと貫通孔２７は連結されず、それらの間には空間が生じる。しかし、このような構造であっても、空間内を空気が移動することができるので、この空間が通気経路となり、光ピックアップ装置８ａの表面および裏面にかけて、空気孔２２ａ、通気経路および貫通孔２７の内部には空気が流れ得る。したがって、光ピックアップ装置８ａの放熱効率は高い。
【００６２】
なお、光軸調整台１９における貫通孔２７の形成位置は、カバー１７の法線方向に空気孔２２ａを投影した場合に、空気孔２２ａが投影される個所を少なくとも含む個所であることが好ましい。それにより、空気孔２２ａと貫通孔２７とを空気が通りやすく、光ピックアップ装置８ａの放熱効率が高い。
【００６３】
また、この光ピックアップ装置８ａが、前述の実施の形態２に係る記録再生装置１ａに搭載されている場合、記録再生装置１ａを動作させることで、光ディスク２が回転する（図１参照）。光ディスク２の回転により、光ディスク２と光ピックアップ装置８との間に空気の流れが生じる。それにより、空気孔２２ａおよび貫通孔２７中を空気が流れる。したがって、光ピックアップ装置８ａの放熱効率は高くなる。
【００６４】
上述の説明では、２つの空気孔２２ａおよび２つの貫通孔２７が形成されている場合について説明したが、これら空気孔２２ａおよび貫通孔２７の数は、それぞれ１つまたは複数であってもよい。また、空気孔２２ａだけでなく、実施の形態１で示した空気孔２２が形成されている構造でもかまわない。なお、これら空気孔２２ａの数が多くなれば、それに応じて貫通孔２７内を流れる空気の量が増えるため、光ピックアップ装置８ａの放熱効率は高くなる。
【００６５】
また、図１に示すように、実施の形態２に係る記録再生装置１ａは、実施の形態２の光ピックアップ装置８ａを備えている。このような構成であるため、実施の形態２に係る記録再生装置１ａは放熱効率が高い。
【００６６】
以上、本発明の実施の形態２に係る光ピックアップ装置および記録再生装置は、大型化させずとも放熱効率が高い。また、構成が簡単であるため低コストで作製することができる。
【００６７】
（実施の形態３）
本発明の実施の形態３に係る光学式情報記録再生装置および光ピックアップ装置について図を用いて説明する。図８は本発明の実施の形態３に係る光ピックアップ装置の構成を示す分解斜視図である。また、図９は本発明の実施の形態３に係る光ピックアップ装置の構成を示す斜視図である。
【００６８】
図８および図９に示した実施の形態３に係る光ピックアップ装置８ｂは、図３および図４に示した実施の形態１に係る光ピックアップ装置８の空気孔２２に、円筒状の管２４が挿入されている構成である。それ以外は、実施の形態１の光ピックアップ装置８とは略同様の構成である。そこで、図８および図９において、図３および図４に示した部材と同様の機能を有する部材には、同一の符号を付し説明を省略する。
【００６９】
また、実施の形態３の記録再生装置１ｂは、図１に示した実施の形態１の記録再生装置１と略同一の構成で、光ピックアップ装置８の代わりに光ピックアップ装置８ｂを備えている。それ以外は同一の構成であるため、実施の形態３の記録再生装置１ｂについては、図１の記録再生装置１を参照すればよく、詳しい説明は省略する。
【００７０】
図８および図９を参照して、実施の形態３の光ピックアップ装置８ｂについて説明する。実施の形態３の光ピックアップ装置８ｂは、空気孔２２に管２４が挿入されている。管２４には、光ピックアップ装置８ｂの内部と外部とをつなぐ孔である管孔２５が形成されている。管２４は、カバー１７から、光ディスク（図示せず）が設置される方向に向かって突出している。記録再生装置１ｃに光ピックアップ装置８ｂを搭載した場合に（図１参照）、光ピックアップ装置８ｂの外部に位置する端部２４ａが光ディスク２の近傍に位置するように管２４の長さを設定する。また、管２４は、カバー１７から、光ピックアップ装置８ｂの内側へも突出している。
【００７１】
図１０は本発明の実施の形態３に係る光学式情報記録再生装置における、空気の流れを説明するための図である。図１０は、記録再生装置１ｂにおける光ピックアップ装置８ｂと光ディスク２を有するカートリッジ４とを図示しており、さらに光ディスク２の回転方向と空気の流れとを追加した図である。図１０を加えて、管２４の管孔２５内における空気の流れについて説明する。実施の形態３の光ピックアップ装置８ｂが搭載された記録再生装置１ｂにおいて、光ディスク２の回転により生じる空気の流れは、光ディスク２に接近するほど強くなる。実施の形態３の光ピックアップ装置８ｂは、管２４の端部２４ａが光ディスク２の近傍にあるため、光ディスク２が回転した場合に、管２４の端部２４ａ付近に空気の流れが生じ、これにより端部２４ａ付近において負圧が生じ、光ピックアップ装置８ｂの内部から外部への向きに強い空気２３の流れが生じる。具体的には、光ピックアップ装置８ｂ内の空気２３が管孔２５を通って、光ディスク２側、すなわち光ピックアップ装置８ｂの外部に流出する。また、端部２４ａが光ディスク２の近傍に位置しているため、この空気２３の流れは強い。
【００７２】
これにより、熱源である半導体レーザが、設置された光ピックアップ装置８ｂの内部の空気が外部に流出されるため、光ピックアップ装置８ｂの内部が高温化することはない。したがって、実施の形態３の光ピックアップ装置８ｂは、強い空気の流出により効率良く放熱が行われ、放熱効率が高い。
【００７３】
実施の形態３の光ピックアップ装置８ｂは、カバー１７に形成された孔２２に管２４が挿入された構成であり、光ピックアップ装置８ｂが大型化することなく簡単に作製することができる。
【００７４】
実施の形態３においては、管２４の端部２４ａが光ディスク２に近づくほど、管孔２５内には強い空気２３の流れが生じるため、端部２４ａが光ディスク２に近いほど望ましい。端部２４ａは、光ディスク２に触れない位置であればよい。管２４を設計する際には、光ディスク２が回転により振れることも考慮する必要がある。したがって、停止している状態の光ディスク２と管２８の端部２８ａとの距離は対物レンズ１２の焦点方向の片側移動可能距離よりも大きくすることが好ましい。以下にこの理由を説明する。
【００７５】
停止している状態の光ディスク２と管２４の端部２４ａとの距離は一定であり、光ディスク２が回転している状態では、管２４は移動しないが光ディスク２が回転により振れることで光ディスク２と管２４の端部２４ａとの距離は変動する。したがって、停止している状態の光ディスク２と管２４の端部２４ａとの距離は光ディスク２の最大片側振れ量よりも大きくする必要がある。一方、対物レンズ１２の焦点方向の片側移動可能距離は、焦点を合わすために、光ディスク２の最大片側振れ量以上に設定されている。したがって、停止している状態の光ディスク２と管２４の端部２４ａとの距離を対物レンズ１２の焦点方向の片側移動可能距離よりも大きくすれば、管２４が光ディスク２の振れによって光ディスクに接触することはない。例えば、対物レンズ１２の焦点方向の片側移動可能距離が０．１５ｍｍの場合、停止している状態の光ディスク２と管２４の端部２４ａとの距離は、０．１５ｍｍよりも大きくすればよい。
【００７６】
また、管２４は熱伝導性を有していることが好ましく、さらに熱伝導性が大きいほど望ましい。具体的には、例えば、管２４はアルミニウム（熱伝導性：２２０Ｗ／ｍ℃）により構成されていることが望ましい。アルミニウム以外には、例えば、アクリル樹脂（熱伝導性：０．２１Ｗ／ｍ℃）、ステンレス（熱伝導性：２７Ｗ／ｍ℃）、銅（熱伝導性：３９０Ｗ／ｍ℃）、グラファイトシート（熱伝導性：６００Ｗ／ｍ℃）等により管２４を構成してもよい。また、管２４の表面に、アルマイト加工やめっき加工が施されている。また、管２４の表面の表面粗さが大きいこととしてもよい。管２４の熱伝導性が大きいことで、光ピックアップ装置８ｂの内部の熱が、管２４自体を伝わって外部に放出されることになり、光ピックアップ装置８ｂの放熱効率がさらに高まる。さらに、上述のように、光ピックアップ装置８ｂと光ディスク２との間には、空気の流れがあるので、管２４の内、光ピックアップ装置８ｂの外部に露出されている個所は、この空気の流れにより放熱効率が高い。
【００７７】
なお、管２４は光ディスク２側および光ピックアップ装置８ｂの内側へ伸びているが、光ピックアップ装置８ｂの内側へは、伸びていてもよいし、伸びていなくてもよい。
【００７８】
また、管２４は、空気を通せる構成であればよく、例えば管２４の両端または片端が多孔質膜で覆われていてもよいそれにより、管孔２５には空気が通るが、埃等が管孔２５から光ピックアップ装置８ｂの中に入ることがない。
【００７９】
また、実施の形態１で説明したように、光学パッケージ１３に一対の通気孔を形成してもよい。それにより、さらに光ピックアップ装置８ｂの放熱効率が高まる。
【００８０】
また、図１に示すように、実施の形態３に係る記録再生装置１ｂは、実施の形態３の光ピックアップ装置８ｂを備えている。このような構成であるため、実施の形態３に係る記録再生装置１ｂは放熱効率が高い。
【００８１】
以上、本発明の実施の形態３に係る光ピックアップ装置および記録再生装置は、大型化させずとも放熱効率が高い。また、構成が簡単であるため低コストで作製することができる。
【００８２】
（実施の形態４）
本発明の実施の形態４に係る光学式情報記録再生装置および光ピックアップ装置について図を用いて説明する。図１１は本発明の実施の形態４に係る光ピックアップ装置の構成を示す分解斜視図である。図１１に示した実施の形態４に係る光ピックアップ装置８ｃは、図８に示した実施の形態３に係る光ピックアップ装置８ｂと基本構成は略同一である。実施の形態４に係る光ピックアップ装置８ｃの光学パッケージ１３には管挿入孔２６および管挿入孔２６に対向する位置に通気孔（図示せず）が形成されていて、この管挿入孔２６に管２４が挿入される点が、実施の形態３に係る光ピックアップ装置８ａとは異なる。それ以外は、実施の形態３の光ピックアップ装置８ｂと略同様の構成である。そこで、図１１において、図６に示した部材と同様の機能を有する部材には、同一の符号を付し説明を省略する。また、実施の形態４に係る光ピックアップ装置８ｃの構成を示す斜視図は、実施の形態３に係る光ピックアップ装置８ｃの構成を示す斜視図である図９と同様になるため省略する。
【００８３】
また、実施の形態４の記録再生装置１ｃは、図１に示した実施の形態１の記録再生装置１と略同一の構成で、光ピックアップ装置８の代わりに光ピックアップ装置８ｃを備えている。それ以外は同一の構成であるため、実施の形態４の記録再生装置１ｃについては、図１の記録再生装置１を参照すればよく、詳しい説明は省略する。
【００８４】
図１１に示すように、光学パッケージ１３には管挿入孔２６が形成されている。管挿入孔２６は、管２４が挿入されるための孔なので、光学パッケージ１３のカバー１７側の面に形成されている。また、管挿入孔２６が形成されている面と対向する面には、通気孔（図示せず）が形成されている。通気孔は、管挿入孔２６と対向する位置に形成される。具体的には、通気孔が形成される面を投影面として、管挿入孔２６が形成される面の法線方向に管挿入孔２６を投影した位置に通気孔が形成されることが望ましい。
【００８５】
実施の形態４の光ピックアップ装置８ｃが組み立てられた状態では、管２４は、この管挿入孔２６に挿入されている。したがって、管２４において、端部２４ａとは逆側の端部２４ｂは、熱源である半導体レーザ素子の近傍に位置している。
【００８６】
図１に示す、実施の形態４の光ピックアップ装置８ｃが搭載された記録再生装置１ｃにおいて、光ディスク２が回転することで、管２６の端部２６ａ付近に空気の流れが生じ、これにより端部２６ａ付近において負圧が生じ、管孔２５中に、光ピックアップ装置８ｃの内部から外部への向きに強い空気の流れが生じる。管２４の端部２４ｂが、熱源である半導体レーザ素子の近傍に位置しているため、熱源近傍の空気を光ピックアップ装置８ｃの外部へと流出させることができる。つまり、熱源で発生した熱を直接、光ピックアップ装置８ｃの外部へと放出することができる。また、光学パッケージ１３に設けた通気孔より、外部の空気を吸い込むことができる。したがって、光ピックアップ装置８ｃは、効率良く放熱を行うことができる。
【００８７】
なお、管２４がさらに長くてもよく、例えば、端部２４ｂが通気孔より光学パッケージ１３の外部に突出していてもよい。このような構造であっても、管２４の管孔２５中を光学パッケージ１３の外部の空気が流れることになる。管２４は、熱伝導率性を有していることから、半導体レーザ素子からの熱を吸収した管２４を、管孔２５中を通る空気２３により冷却することができる。そのため、光ピックアップ装置８ｃの放熱効果は高い。
【００８８】
実施の形態４の光ピックアップ装置８ｃは、カバー１７に形成された孔２２に管２４が挿入され、光学パッケージ１３に管挿入孔２６が形成された構成であり、光ピックアップ装置８ｃが大型化することなく簡単に作製することができる。
【００８９】
なお、管挿入孔２６の内径と管２４の外径とを略同じにすると、光学パッケージ１３の配置が決まってしまうため、上記実施の形態１で説明した光軸調整を行うことできなくなる。そこで、管挿入孔２６の内径は、管２４の外径に比べてゆとりをもった大きさに設計することが望ましい。なお、管挿入孔２６中には、放熱グリスを充填しておくことが望ましい。それにより、管２４と管挿入孔２６とが接触しなくとも、それらの間に空気ではなく放熱グリスが設置されることになり、管挿入孔２６からの管２４への熱の移動が効率良く行われる。それにより、管２４を伝って光学パッケージ１３の熱が放出されるので好ましい。また、管挿入孔２６の内面は、熱放射性能が高くなるように加工されていてもよい。具体的には、管挿入孔２６の内面にアルマイト加工やめっき加工を施すことで、管挿入孔２６の内面にアルミニウム等の熱伝導率の高い材料を形成し、放熱性を大きくすればよい。また、管挿入孔２６の内面の表面粗さを大きくすることで、管挿入孔２６の内面の熱放射性能を高めてもよい。それにより、管挿入孔２６の内面から管２４を伝って放出される光学パッケージ１３の熱が増加するため好ましい。
【００９０】
なお、実施の形態４の光ピックアップ装置８ｃは、管２４の端部２４ａが光ピックアップ装置８ｃの外部に露出されていない構成でもよい。このような構成であっても、十分な放熱効率を得ることができる。すなわち、光学パッケージ１３内に挿入された管２４の管孔２５内を空気が流れることで、放熱効率が高い光ピックアップ装置８ｃを実現できる。
【００９１】
また、図１に示すように、実施の形態４に係る記録再生装置１ｃは、実施の形態４の光ピックアップ装置８ｃを備えている。このような構成であるため、実施の形態４に係る記録再生装置１ｃは放熱効率が高い。
【００９２】
以上、本発明の実施の形態４に係る光ピックアップ装置および記録再生装置は、大型化させずとも放熱効率が高い。また、構成が簡単であるため、低コストで作製することができる。
【００９３】
（実施の形態５）
本発明の実施の形態５に係る光学式情報記録再生装置および光ピックアップ装置について図を用いて説明する。図１２は本発明の実施の形態５に係る光ピックアップ装置の構成を示す分解斜視図である。また、図１３は本発明の実施の形態５に係る光ピックアップ装置の構成を示す斜視図である。
【００９４】
図１２および図１３に示した実施の形態５に係る光ピックアップ装置８ｄは、図６および図７に示した実施の形態２に係る光ピックアップ装置８ｂの空気孔２２ａに、円筒状の管２８が挿入されている構成である。それ以外は、実施の形態２の光ピックアップ装置８ｂとは略同様の構成である。そこで、図１２および図１３において、図６および図７に示した部材と同様の機能を有する部材には、同一の符号を付し説明を省略する。
【００９５】
また、実施の形態５の記録再生装置１ｄは、図１に示した実施の形態１の記録再生装置１と略同一の構成で、光ピックアップ装置８の代わりに光ピックアップ装置８ｄを備えている。それ以外は同一の構成であるため、実施の形態３の記録再生装置１ａについては、図１の記録再生装置１を参照すればよく、詳しい説明は省略する。
【００９６】
図１２および図１３を参照して、実施の形態５の光ピックアップ装置８ｄについて説明する。実施の形態５の光ピックアップ装置８ｄは、空気孔２２ａおよび貫通孔２７に管２８が挿入されている。つまり、貫通孔２７が管挿入孔となっている。以下では貫通孔と称す。管２８には、光ピックアップ装置８ｄの内部と外部とをつなぐ孔である管孔２９が形成されている。管２８は、カバー１７の表裏両面に向かって突出している。記録再生装置１ｄに光ピックアップ装置８ｄを搭載した場合に（図１参照）、光ピックアップ装置８ｄの外部に位置する端部２８ａが光ディスク２の近傍に位置するように管２８の長さを設定する。
【００９７】
図１０を用いて説明したように、光ディスク２の回転により生じる空気の流れは、光ディスク２に接近するほど強くなる。したがって、光ピックアップ装置８ｄを搭載した記録再生装置１ｄが動作した場合、光ディスク２が回転し、管孔２９中を空気が強く流れる。管２８は空気孔２２ａおよび貫通孔２７に挿入されていて、管２８の一方の端部（端部２８ａ）は光ピックアップ装置８ｄの外部に位置し、管２８の他方の端部（端部２８ｂ）は貫通孔２７中に位置する。したがって、管孔２９中を空気が強く流れると、例えば、光ピックアップ装置８ｄの裏面から表面にかけて、貫通孔２７および管孔２９中を空気が流れる。
【００９８】
これにより、この管２８により、光学基台１５の熱が外部に放出されるため、光ピックアップ装置８ｄの内部が高温化することはない。したがって、実施の形態５の光ピックアップ装置８ｄは、強い空気の流出により効率良く放熱が行われ、放熱効率が高い。
【００９９】
このように、実施の形態５の光ピックアップ装置８ｄは、カバー１７に形成された孔２２ａおよび光学基台に形成された貫通孔２７に管２８が挿入された構成であり、光ピックアップ装置８ｄが大型化することなく簡単に作製することができる。
【０１００】
なお、実施の形態５においては、管２８の端部２８ａが光ディスク２に近づくほど、貫通孔２７および管孔２９には強い空気の流れが生じるため、端部２７ａが光ディスクに近いほど望ましい。端部２８ａは、光ディスク２に触れない位置であればよい。管２８を設計する際には、光ディスク２が回転により振れることも考慮する必要がある。したがって、停止している状態の光ディスクと管２８の端部２８ａとの距離は対物レンズ１２の焦点方向の片側移動可能距離よりも大きくすることが好ましい。以下にこの理由を説明する。
【０１０１】
停止している状態の光ディスク２と管２８の端部２８ａとの距離は一定であり、光ディスク２が回転している状態では、管２８は移動しないが光ディスク２が回転により振れることで光ディスク２と管２８の端部２８ａとの距離は変動する。したがって、停止している状態の光ディスクと管２８の端部２８ａとの距離は光ディスクの最大片側振れ量よりも大きくする必要がある。一方、対物レンズ１２の焦点方向の片側移動可能距離は、焦点を合わすために、光ディスク２の最大片側振れ量以上に設定されている。したがって、停止している状態の光ディスク２と管２８の端部２８ａとの距離を対物レンズ１２の焦点方向の片側移動可能距離よりも大きくすれば、管２８が光ディスク２の振れによって光ディスク２に接触することはない。例えば、対物レンズ１２の焦点方向の片側移動可能距離が０．１５ｍｍの場合、停止している状態の光ディスクと管２８の端部２８ａとの距離は、０．１５ｍｍよりも大きくすればよい。
【０１０２】
また、管２８は熱伝導性を有していることが好ましく、さらに熱伝導性が大きいほど望ましい。具体的には、例えば、管２８はアルミニウム（熱伝導性：２２０Ｗ／ｍ℃）により構成されていることが望ましい。アルミニウム以外には、例えば、アクリル樹脂（熱伝導性：０．２１Ｗ／ｍ℃）、ステンレス（熱伝導性：２７Ｗ／ｍ℃）、銅（熱伝導性：３９０Ｗ／ｍ℃）、グラファイトシート（熱伝導性：６００Ｗ／ｍ℃）等により管２８を構成してもよい。また、管２８の表面に、アルマイト加工やめっき加工が施されている。また、管２８の表面の表面粗さが大きいこととしてもよい。管２８の熱伝導性が大きいことで、光ピックアップ装置８ｄの内部の熱が、管２８自体を伝わって外部に放出されることになり、光ピックアップ装置８ｄの放熱効率がさらに高まる。さらに、上述のように、光ピックアップ装置８ｄと光ディスクとの間には、空気の流れがあるので、管２８の内、光ピックアップ装置８ｄの外部に露出されている個所は、この空気の流れにより放熱効率が高い。
【０１０３】
また、管２８の端部２８ｂは、貫通孔２７から外部に突出していてもよい。このような構成であっても、管孔２９中を空気が流れることで、光学基台１５の熱を外部に放熱することができる。
【０１０４】
また、管２８は光ピックアップ装置８ｄの内側へは突出せず、管２８と貫通孔２７が連結され、連続貫通孔を形成するようにしてもよい。この場合でも管２８と貫通孔２７の内部を空気が移動することで放熱が行われる。
【０１０５】
また、実施の形態２に示しているように、貫通孔（管挿入孔）２７は光軸調整台１９にも形成されていてもよい。その場合も同様に、管２８が空気孔２２ａおよびそれに対応する貫通孔２７に挿入される。これにより、管孔２９中に空気が流れると貫通孔２７内にも空気が流れるため、光ピックアップ装置８ｄの裏面から表面にかけて、空気が流れる。したがって、光ピックアップ装置８ｄの放熱効率は高い。なお、この場合は、貫通孔２７の内径と管２８の外径とを略同じにすると、光軸調整台１９の配置が決まってしまうため、上記実施の形態１で説明した光軸調整を行うことができなくなる。そこで、貫通孔２７の内径は、管２８の外径に比べてゆとりをもった大きさに設計することが望ましい。
【０１０６】
なお、実施の形態５の光ピックアップ装置８ｄは、管２８が光ピックアップ装置８ｄの外部に露出されていない構成でもよい。このような構成であっても、十分な放熱効率を得ることができる。すなわち、貫通孔２７および空気孔２２ａに挿入された管２８の管孔２９内を空気が流れることで、放熱効率が高い光ピックアップ装置８ｄを実現できる。
【０１０７】
なお、貫通孔２７中には、放熱グリスを充填しておくことが望ましい。それにより、管２８と貫通孔２７とが接触しない場合であっても、それらの間に空気ではなく放熱グリスが設置されることになり、貫通孔２７からの管２８への熱の移動が効率良く行われる。それにより、管２８を伝って熱が放出されるので好ましい。
【０１０８】
また、管２８は、空気を通せる構成であればよく、例えば管２８の両端または片端が多孔質膜で覆われていてもよい。それにより、管孔２９には空気が通るが、埃等が管孔２９から光ピックアップ装置８ｄの中に入ることがない。
【０１０９】
また、図１に示すように、実施の形態５に係る記録再生装置１ｄは、実施の形態５の光ピックアップ装置８ｄを備えている。このような構成であるため、実施の形態５に係る記録再生装置１ｄは放熱効率が高い。
【０１１０】
以上、本発明の実施の形態５に係る光ピックアップ装置および記録再生装置は、大型化させずとも放熱効率が高い。また、構成が簡単であるため低コストで作製することができる。
【０１１１】
上述の実施の形態１〜５に記載の光ピックアップ装置８、８ａ、８ｂ、８ｃ、８ｄにおいては、空気孔２２または空気孔２２ａの数は限定されない。また、空気孔２２だけ、または空気孔２２ａだけが形成される構成でもよく、形成個所はカバー１７であればどこでもよい。
【０１１２】
実施の形態３または４に記載の光ピックアップ装置８ｂ、８ｃにおいて、空気孔２２が複数である場合、管２４が全ての空気孔２２に挿入されていてもよいし、一部の空気孔２２にのみ管２４が挿入されていてもよい。同様に、実施の形態５に記載の光ピックアップ装置８ｄにおいて、空気孔２２ａが複数である場合、管２８が全ての空気孔２２ａに挿入されていてもよいし、一部の空気孔２２ａにのみ管２８が挿入されていてもよい。また、管２４または管２８の形状は、円筒状として図示していたが、この形状に限定されるものではない。光ピックアップ装置８ｂ、８ｃ、８ｄの内部と外部とをつなぐ形状であればよく、例えば、楕円筒状であってもよいし、多角筒状であってもよい。
【０１１３】
上記説明した実施の形態１〜５のいずれかの光ピックアップ装置およびそれを備えた光学式情報記録再生装置は発熱効率が高いので、半導体レーザ素子が動作している状態であるにもかかわらず、温度上昇が小さい。そのため、半導体レーザ素子および光ピックアップ装置が温度暴走することもなく、かつ劣化が少ないため、寿命も長い。
【０１１４】
なお、実施の形態１〜５で具体的に示した構造はあくまでも一例であり、本発明はこれらの具体例のみに限定されるものではない。
【産業上の利用可能性】
【０１１５】
本発明の光ピックアップ装置および光学式情報記録再生装置は、放熱効率が高いので、動作することで高熱化することがない。そのため、高熱化しやすい、大容量の記録媒体からの読み出しや、高倍速記録を行う光学式情報記録再生装置として用いればよい。
【図面の簡単な説明】
【０１１６】
【図１】本発明の実施の形態１に係る光学式情報記録再生装置の構成を示す斜視図
【図２】本発明の実施の形態１に係る光学式情報記録再生装置における、光ピックアップ装置と光ディスクとの配置を示す斜視図
【図３】本発明の実施の形態１に係る光ピックアップ装置の構成を示す分解斜視図
【図４】本発明の実施の形態１に係る光ピックアップ装置の構成を示す斜視図
【図５】図２に光ディスクの回転方向と空気孔における空気の流れとを追加した図であり、空気の流れを説明するための図
【図６】本発明の実施の形態２に係る光ピックアップ装置の構成を示す分解斜視図
【図７】本発明の実施の形態２に係る光ピックアップ装置の構成を示す斜視図
【図８】本発明の実施の形態３に係る光ピックアップ装置の構成を示す分解斜視図
【図９】本発明の実施の形態３に係る光ピックアップ装置の構成を示す斜視図
【図１０】本発明の実施の形態３に係る光学式情報記録再生装置における、空気の流れを説明するための図
【図１１】本発明の実施の形態４に係る光ピックアップ装置の構成を示す分解斜視図
【図１２】本発明の実施の形態５に係る光ピックアップ装置の構成を示す分解斜視図
【図１３】本発明の実施の形態５に係る光ピックアップ装置の構成を示す斜視図
【符号の説明】
【０１１７】
１、１ａ、１ｂ、１ｃ、１ｄ  記録再生装置
２  光ディスク
３  支持台
４  カートリッジ
４ａ  開口部
５  モータシャフト
６  トラバースベース
７  スピンドルモータ
８、８ａ、８ｂ、８ｃ、８ｄ  光ピックアップ装置
９  シャフト
１０  駆動台
１１  レーザ光
１２  対物レンズ
１３  光学パッケージ
１４  反射鏡
１５  光学基台
１６  アクチュエータ
１７  カバー
１８  孔
１９  光軸調整台
１９ａ  アオリホルダー
１９ｂ  スライドホルダー
２０  回転方向
２１  放熱板
２２  空気孔
２３  空気
２４、２８  管
２４ａ、２４ｂ、２８ａ、２８ｂ  端部
２５、２９  管孔
２６  管挿入孔
２７  貫通孔
【図１】
2006209908.tif 000003
【図２】
2006209908.tif 000004
【図３】
2006209908.tif 000005
【図４】
2006209908.tif 000006
【図５】
2006209908.tif 000007
【図６】
2006209908.tif 000008
【図７】
2006209908.tif 000009
【図８】
2006209908.tif 000010
【図９】
2006209908.tif 000011
【図１０】
2006209908.tif 000012
【図１１】
2006209908.tif 000013
【図１２】
2006209908.tif 000014
【図１３】
2006209908.tif 000015